(57)【要約】【課題】組立作業の作業性を向上できる収納箱及び蓄電装置を提供する。【解決手段】収納箱１００は第１側壁ブロック１１０と第２側壁ブロック１２０と上板１３０と下板１４０とを有する。第１側壁ブロック１１０は第１背板１１１と一対の第１側板１１２，１１３とを有し、第２側壁ブロック１２０は第２背板１２１と第２側板１２２とを有する。第２側壁ブロック１２０は、第２側板１２２と反対側の端部を第１側壁ブロック１１０に接触させた状態で、第１側壁ブロック１１０と左右方向に並べて配置される。第１側壁ブロック１１０及び第２側壁ブロック１２０の上部に上板１３０が、下部に下板１４０が取り付けられる。収納箱１００は、第１側壁ブロック１１０と上板１３０と下板１４０とで囲まれる収納室１５１と、第１側壁ブロック１１０の第１側板１１３と第２側壁ブロック１２０と上板１３０と下板１４０とで囲まれる収納室１５２とを有している。【選択図】図５
2017005027.tif 000002
【特許請求の範囲】
【請求項１】
それぞれ電気装置を収納する２つの収納室を有し、
第１背板及び前記第１背板の左右方向における両側辺からそれぞれ前方に突出する第１側板を有する第１側壁ブロックと、第２背板及び前記第２背板の左右方向における一辺から前方に突出する第２側板を有し前記第２側板と反対側の端部が前記第１側壁ブロックと接触した状態で前記第１側壁ブロックと左右方向に並べて配置される第２側壁ブロックと、前記第１側壁ブロック及び前記第２側壁ブロックの上部に取り付けられる上板と、前記第１側壁ブロック及び前記第２側壁ブロックの下部に取り付けられる下板とを更に有し、
前記２つの収納室のうちの一方は、前記第１側壁ブロックと前記上板と前記下板とで囲まれる収納室であり、
前記２つの収納室のうちの他方は、前記第１側壁ブロックにおいて前記第２側壁ブロック側の前記第１側板と前記第２側壁ブロックと前記上板と前記下板とで囲まれる収納室であることを特徴とする収納箱。
【請求項２】
前記電気装置は、蓄電池を有する蓄電池モジュールに電気的に接続された電力変換装置を含み、
前記第１側壁ブロックにおいて前記第２側壁ブロック側の前記第１側板と前記第２側壁ブロックと前記上板と前記下板とで囲まれる収納室が前記電力変換装置を収納し、
前記電力変換装置を収納する前記収納室は、前記上板を貫通する第１通気孔と前記下板を貫通する第２通気孔との間に筒状のダクト部を備え、
前記第２側壁ブロックに取り付けられる前記電力変換装置の筐体で前記ダクト部の一部が構成されたことを特徴とする請求項１に記載の収納箱。
【請求項３】
前記第２側壁ブロックは、前記第２背板において前記第１背板と接触する一辺から前方に突出する第１フランジ部と、前記第２背板の前面に前記第１フランジ部と並行するように設けられた第２フランジ部を更に有し、
前記第１フランジ部と前記第２フランジ部との間に取り付けられた前記電力変換装置の前記筐体と、前記第１フランジ部と、前記第２フランジ部と、前記第２背板とで前記ダクト部が構成されたことを特徴とする請求項２に記載の収納箱。
【請求項４】
前記電力変換装置は、前記ダクト部の内部空間に少なくとも一部が露出するヒートシンクを有し、
前記ヒートシンクは、前記ダクト部の内部空間と対向する面から突出し、かつ、上下方向に沿って延びる板状の放熱フィンを有することを特徴とする請求項２又は３に記載の収納箱。
【請求項５】
前記収納箱は、前記２つの収納室を露出させる開口部を前面に有し、
前記収納箱に着脱自在に取り付けられ、前記収納箱に取り付けられた状態で前記開口部を閉塞する金属製の蓋を更に備え、
前記蓋は、前記蓋に電気的に接続された状態で取り付けられた第１導電部材を有し、
前記収納箱は、前記蓋が取り付けられた状態で前記第１導電部材と接触する部位に、前記収納箱に電気的に接続された第２導電部材を有し、
前記第１導電部材及び前記第２導電部材のうちの少なくともいずれか一方は、前記第１導電部材と前記第２導電部材とが接触する方向において弾性を有することを特徴とする請求項１〜４のいずれか１項に記載の収納箱。
【請求項６】
蓄電池を有する蓄電池モジュールと、
前記蓄電池モジュールに電気的に接続された電力変換装置と、
前記蓄電池モジュール及び前記電力変換装置を別々に収納する２つの収納室を有する請求項１〜５のいずれか１項に記載の収納箱と、
を備えたことを特徴とする蓄電装置。
【発明の詳細な説明】
【技術分野】
【０００１】
本発明は、収納箱及び蓄電装置に関し、より詳細には、電気装置を収納して所定の設置場所に据え置いて使用される収納箱及び蓄電装置に関する。
【背景技術】
【０００２】
従来、複数の二次電池を備える電池モジュール（蓄電池モジュール）と、インバータ（電力変換装置）とを筐体の内部に収納した蓄電装置があった（例えば特許文献１参照）。この蓄電装置は、一対の筐体と、一対の筐体の上部に取り付けられる上蓋と、一対の筐体の下部に取り付けられる下蓋とで構成される外装（収納箱）を有し、蓄電装置の内部には電池モジュール及びインバータが収納されている。
【先行技術文献】
【特許文献】
【０００３】
【特許文献１】特開２０１３−５５７４８号公報
【発明の概要】
【発明が解決しようとする課題】
【０００４】
特許文献１の蓄電装置は、一対の筐体と上蓋と下蓋とで構成される外装の内部にある１つの収納室に電池モジュールとインバータとが収納されている。したがって、この蓄電装置では、１つの外装に電池モジュールとインバータとを順番に固定する作業を行わねばならず、組立作業の作業性を向上させたいという要望があった。
【０００５】
本発明は上記課題に鑑みてなされ、組立作業の作業性を向上できる収納箱及び蓄電装置を提供することを目的とする。
【課題を解決するための手段】
【０００６】
本発明の蓄電システムは、それぞれ電気装置を収納する２つの収納室を有し、第１背板及び前記第１背板の左右方向における両側辺からそれぞれ前方に突出する第１側板を有する第１側壁ブロックと、第２背板及び前記第２背板の左右方向における一辺から前方に突出する第２側板を有し前記第２側板と反対側の端部が前記第１側壁ブロックと接触した状態で前記第１側壁ブロックと左右方向に並べて配置される第２側壁ブロックと、前記第１側壁ブロック及び前記第２側壁ブロックの上部に取り付けられる上板と、前記第１側壁ブロック及び前記第２側壁ブロックの下部に取り付けられる下板とを更に有し、前記２つの収納室のうちの一方は、前記第１側壁ブロックと前記上板と前記下板とで囲まれる収納室であり、前記２つの収納室のうちの他方は、前記第１側壁ブロックにおいて前記第２側壁ブロック側の前記第１側板と前記第２側壁ブロックと前記上板と前記下板とで囲まれる収納室であることを特徴とする。
【０００７】
本発明の蓄電装置は、蓄電池を有する蓄電池モジュールと、前記蓄電池モジュールに電気的に接続された電力変換装置と、前記蓄電池モジュール及び前記電力変換装置を別々に収納する２つの収納室を有する上記の収納箱と、を備えたことを特徴とする。
【発明の効果】
【０００８】
本発明によれば、組立作業の作業性を向上できる収納箱及び蓄電装置を提供できる。
【図面の簡単な説明】
【０００９】
【図１】実施形態の蓄電装置の分解斜視図である。
【図２】実施形態の蓄電装置の外観斜視図である。
【図３】実施形態の蓄電装置の蓋が外された状態の正面図である。
【図４】実施形態の蓄電装置を示し、図３のＢ１−Ｂ１断面図である。
【図５】実施形態の蓄電装置の一部の分解斜視図である。
【図６】実施形態の蓄電装置の一部を省略した斜視図である。
【図７】実施形態の蓄電装置が備えるダクト部の分解斜視図である。
【図８】実施形態の蓄電装置が備える蓋の背面図である。
【図９】実施形態の蓄電装置の蓋が外された状態の要部の斜視図である。
【発明を実施するための形態】
【００１０】
以下、本実施形態に係る収納箱及び蓄電装置について図面を参照して説明する。以下に説明する蓄電装置は、例えば、住宅のような建物で使用し、建物の屋内配線と電気的に接続する使用例を想定している。ただし、以下に説明する構成は本発明の一例にすぎない。本発明は、以下の実施形態に限定されず、本発明に係る技術的思想を逸脱しない範囲であれば、設計等に応じて種々の変更が可能である。
【００１１】
本実施形態の収納箱１００は、図１〜図５に示すように、それぞれ電気装置を収納する２つの収納室１５１，１５２とを有している。また、収納箱１００は、第１側壁ブロック１１０と、第２側壁ブロック１２０と、上板１３０と、下板１４０とを更に有している。本実施形態の収納箱１００は蓄電装置に用いられ、収納箱１００には電気装置として蓄電池モジュール１０と電力変換装置２０とが収納される。すなわち、本実施形態の蓄電装置は、複数個（本実施形態では３個）の蓄電池モジュール１０と、電力変換装置２０と、収納箱１００とを備える。なお、本実施形態では、図１〜図５に矢印で示した上下、左右、前後の各方向を基準として説明を行う。
【００１２】
複数個の蓄電池モジュール１０の各々は、充電及び放電が可能な蓄電池を有している。蓄電池モジュール１０は、直列又は並列に接続された複数の蓄電池（例えばリチウムイオン電池など）を有している。蓄電池モジュール１０は、蓄電池のみを備える構成のほか、温度センサのようなセンサ類、蓄電池の特性データを格納したメモリ、蓄電池の充放電制御や異常監視を行う監視制御部、情報を伝送するための通信部などを備える構成でもよい。本実施形態では、蓄電池のほかに通信部を備える蓄電池モジュール１０を採用している。
【００１３】
本実施形態の蓄電池モジュール１０は、上下方向寸法及び左右方向寸法に比べて前後方向寸法が小さい箱型に形成されており、蓄電池モジュール１０は前後方向に並ぶように収納箱１００に収納されている（図１、図３参照）。
【００１４】
電力変換装置２０は、複数個の蓄電池モジュール１０と電気的に接続されて電力変換を行う。電力変換装置２０は、交流電力を直流電力に変換して蓄電池モジュール１０を充電する機能を有している。また、電力変換装置２０は、蓄電池モジュール１０から供給される直流電力を交流電力に変換する機能も有している。本実施形態の電力変換装置２０は例えば建物内に設置された分電盤に接続され、分電盤を介して建物の屋内配線と電気的に接続されている。蓄電池モジュール１０の充電時に、電力変換装置２０に入力される交流電力は、例えば分電盤を介して電力系統から供給される。また、蓄電池モジュール１０の放電時に、電力変換装置２０から出力される交流電力は、例えば分電盤及び建物の屋内配線を通して電気負荷に供給される。なお、電力変換装置２０は、蓄電池モジュール１０の充電及び放電を制御する機能のほか、蓄電池モジュール１０の充電状態（例えば充電量）を監視する機能、蓄電池モジュール１０の異常の有無を監視する機能を備えている。また、電力変換装置２０は、蓄電池モジュール１０の充電状態や異常の有無の監視結果などの情報を、建物内に設置された制御装置に送信する機能も備えている。この種の制御装置には、例えばＨＥＭＳ（Home Energy Management System）のコントローラなどがある。
【００１５】
収納箱１００は前面が開口した箱型に形成されている（図１〜図４参照）。この収納箱１００は、例えば戸建て住宅などの建物の外壁に後面（開口部１０１が設けられた前面と反対側の面）を対向させ、建物の外壁と後面との間に隙間を空けた状態で設置される。この収納箱１００は、上下方向の寸法が収納箱１００に比べて小さい箱型の台座３００に載せられて、設置場所に設置される。なお、台座３００の前面、後面、上面の各面には貫通孔が設けられており、台座３００の前面の貫通孔は蓋３０１で閉塞されている。
【００１６】
収納箱１００は、電気装置である蓄電池モジュール１０及び電力変換装置２０を別々に収納する２つの収納室１５１，１５２を有している。本実施形態では、収納箱１００の内部が左右２つの収納室１５１，１５２に分かれており、左側の収納室１５１に蓄電池モジュール１０が収納され、右側の収納室１５２に電力変換装置２０が収納されている（図１及び図３参照）。収納箱１００の前面には、開口部１０１の周りに鍔部１０２が設けられている。
【００１７】
また、本実施形態の収納箱１００は、第１側壁ブロック１１０と第２側壁ブロック１２０と上板１３０と下板１４０とを有し、第１側壁ブロック１１０と第２側壁ブロック１２０と上板１３０と下板１４０とを結合することで一体に形成されている（図３参照）。
【００１８】
第１側壁ブロック１１０は、板金を加工して形成されており、矩形板状の第１背板１１１と、第１背板１１１の左右方向における両側辺からそれぞれ前方に突出する第１側板１１２，１１３とを有している（図１、図３、図５参照）。第１側壁ブロック１１０は、左右の第１側板１１２，１１３の前端部及び後端部において、左右の第１側板１１２，１１３の間に架け渡された２本の横桟１１５を有している。２本の横桟１１５は、第１側壁ブロック１１０の上下方向における中央付近に設けられている。また、右側の第１側板１１３の上部には第１側板１１３を貫通する通線部１１７が設けられており、この通線部１１７に蓄電池モジュール１０と電力変換装置２０との間を電気的に接続する電線が通される。
【００１９】
第２側壁ブロック１２０は、板金を加工して形成されており、矩形板状の第２背板１２１と、第２背板１２１の左右方向における一辺（本実施形態では右側辺）から前方に突出する第２側板１２２とを有している（図５〜図７参照）。
【００２０】
また、第２側壁ブロック１２０は、第２背板１２１において第２側板１２２が突出する一辺と対向する別の一辺（左側辺）から前方に突出する第１フランジ部１２３を更に有している。第１フランジ部１２３は上側から見た形状がＬ型に形成されており、第２側壁ブロック１２０の上端部から下端部まで設けられている。また、第２側壁ブロック１２０は、第２背板１２１の前面に設けられた第２フランジ部１２４を更に有している。第２フランジ部１２４は、第１フランジ部１２３と並行するように第２背板１２ｌの前面に固定された金属部品で構成されている。この金属部品は、帯状の金属板を上側から見た形状がＺ型となるように曲げ加工して形成されており、第２背板１２ｌの前面に溶接などの方法で固定されている。第２フランジ部１２４は、第２側壁ブロック１２０の上端部から下端部まで設けられている。ここで、第１フランジ部１２３の前面と第２フランジ部１２４の前面とはほぼ並行であり、第１フランジ部１２３の前面から第２背板１２１の前面までの距離と、第２フランジ部１２４の前面から第２背板１２１の前面までの距離とは、ほぼ同じ距離となっている。
【００２１】
第１側壁ブロック１１０と第２側壁ブロック１２０とは、第２側壁ブロック１２０において第２側板１２２と反対側の端部が第１側壁ブロック１１０と接触した状態で、左右方向に並べて配置されている。本実施形態では、第１側壁ブロック１１０と第２側壁ブロック１２０とは、第２背板１２１において第２側板１２２が突出する一辺と対向する別の一辺（本実施形態では左側辺）を第１背板１１１に接触させた状態で、左右方向に並べて配置される（図６参照）。したがって、前後方向において、第１背板１１１と第２背板１２１との間にほとんど段差がない状態で、第１側壁ブロック１１０と第２側壁ブロック１２０とが左右方向に並べて配置されている。なお、第２背板１２１において第２側板１２２が突出する一辺と対向する別の一辺が第１側板１１２に接触した状態で、第１側壁ブロック１１０と第２側壁ブロック１２０とが左右方向に並べて配置されてもよい。また、第２側壁ブロック１２０において、第１側壁ブロック１１０と接触する、第２側板１２２と反対側の端部は、第２背板１２１における第１側壁ブロック１１０側の一辺に限定されず、第２背板１２１の一辺から前方に突出する第１フランジ部１２３でもよい。すなわち、第２背板１２１が第１背板１１１よりも後方に位置し、第２背板１２１において第１側壁ブロック１１０側の一辺から前方に突出する第１フランジ部１２３が、第１側壁ブロック１１０（第１背板１１１又は第１側板１１２）と接触してもよい。
【００２２】
上板１３０は、板金を加工して形成されており、左右方向に並べて配置された第１側壁ブロック１１０及び第２側壁ブロック１２０の上部に取り付けられる。
【００２３】
下板１４０は、板金を加工して形成されており、左右方向に並べて配置された第１側壁ブロック１１０及び第２側壁ブロック１２０の下部に取り付けられる。下板１４０には、下板１４０を貫通する通線孔１４１が設けられている。この通線孔１４１には、電力変換装置２０と分電盤との間を電気的に接続する電力線Ｗ１や通信線などが通されている（図４参照）。電力線Ｗ１の一端に設けられたコネクタＣＮ２は、収納室１５２内に配置されたコネクタＣＮ１に接続されており、電力変換装置２０と電力線Ｗ１との間がコネクタＣＮ１，ＣＮ２を介して電気的に接続される（図３及び図４参照）。
【００２４】
このように、左右に並べて配置された第１側壁ブロック１１０及び第２側壁ブロック１２０の上部に上板１３０が取り付けられ、第１側壁ブロック１１０及び第２側壁ブロック１２０の下部に下板１４０が取り付けられることで、収納箱１００が箱型に構成される。
【００２５】
収納箱１００が備える２つの収納室１５１，１５２のうち、左側の収納室１５１は、第１側壁ブロック１１０と上板１３０と下板１４０とで囲まれる収納室であり、蓄電池モジュール１０などを収納する。この収納室１５１は、横桟１１５よりも上側の上側収納室１５３と、横桟１１５よりも下側の下側収納室１５４とに分かれている。上側収納室１５３及び下側収納室１５４の各々には、蓄電池モジュール１０を載せる取付台１６１が２個ずつ配置されており、２個の蓄電池モジュール１０を前後方向に並べて収納することが可能である。なお、本実施形態では、上側収納室１５３に２個の蓄電池モジュール１０が収納され、下側収納室１５４に１個の蓄電池モジュール１０が収納されており、収納箱１００には合計３個の蓄電池モジュール１０が収納されている。本実施形態の収納箱１００は最大で４個の蓄電池モジュール１０が収納可能であって、下側収納室１５４の前部には１個分の蓄電池モジュール１０を収納可能な空間が残されている。したがって、下側収納室１５４の空きスペースを利用して１個の蓄電池モジュール１０を増設することができる。
【００２６】
収納箱１００が備える２つの収納室１５１，１５２のうち、右側の収納室１５２は、第１側壁ブロック１１０において第２側壁ブロック１２０側の第１側板１１３と第２側壁ブロック１２０と上板１３０と下板１４０とで囲まれる収納室である。この収納室１５２は電力変換装置２０などを収納する。ここにおいて、電力変換装置２０は、電力変換を行う回路などが形成された回路基板と、回路基板などの部材を収納する角筒状のカバー２１とを有している。本実施形態では、カバー２１の後壁が、回路基板に実装された回路部品（例えばスイッチング素子やコイル部品など）と熱的に結合された板状のヒートシンク２２で構成されている（図４参照）。
【００２７】
第２側壁ブロック１２０には、第１フランジ部１２３と第２フランジ部１２４とに架け渡すようにして、蓋板１７１と、電力変換装置２０が備えるヒートシンク２２と、蓋板１７２とが上下方向に並べて取り付けられる（図６及び図７参照）。第２側壁ブロック１２０の第２背板１２１と第１フランジ部１２３と第２フランジ部１２４と蓋板１７１，１７２とヒートシンク２２とで筒状のダクト部１７０が構成される。ダクト部１７０は上板１３０と下板１４０との間に設けられており、本実施形態ではダクト部１７０の上端部が上板１３０と接触し、ダクト部１７０の下端部が下板１４０と接触している。上板１３０には、ダクト部１７０の内部空間に臨む部位に、上板１３０を貫通する第１通気孔１３１が複数設けられている。下板１４０には、ダクト部１７０の内部空間に臨む部位に、下板１４０を貫通する第２通気孔１４２が設けられている。したがって、ダクト部１７０は、下板１４０の第２通気孔１４２と上板１３０の第１通気孔１３１との間で空気が流れる管路を形成している。
【００２８】
ここにおいて、ヒートシンク２２は、熱伝導性の良好な金属材料（例えばアルミ合金など）で形成されている。ヒートシンク２２は前面の形状が矩形状となる板状であり、ヒートシンク２２の後面（ダクト部１７０の内部空間と対向する面）には上下方向に沿って延びる板状の放熱フィン２３が複数設けられている。複数の放熱フィン２３は、左右方向に一定の間隔で並ぶように設けられている。ヒートシンク２２は、電力変換装置２０が備えるスイッチング素子やコイル部品などの回路部品に熱的に結合されている。ヒートシンク２２の放熱フィン２３はダクト部１７０の内部空間に配置されているので、放熱フィン２３を含むヒートシンク２２は、ダクト部１７０の内部の空気と熱交換を行うことで、回路部品が発生した熱を放熱する。ヒートシンク２２と熱交換を行うことによってダクト部１７０の内部の空気が暖められると、ダクト部１７０の内部で空気の対流が発生する。つまり、下板１４０の第２通気孔１４２からダクト部１７０の内部に入った空気が、ダクト部１７０の内部を上側に移動して、上板１３０の第１通気孔１３１からダクト部１７０の外に出る。これにより、ダクト部１７０の外部からダクト部１７０の内部に空気が継続的に供給されて、ヒートシンク２２と熱交換を行うことで、電力変換装置２０の構成部品で発生した熱をヒートシンク２２で効率良く放熱することができる。
【００２９】
本実施形態の収納箱１００には、収納箱１００の上板１３０を覆うように屋根部材４００が取り付けられる（図１及び図２参照）。屋根部材４００は、左右方向の寸法及び前後方向の寸法が収納箱１００とほぼ同じ寸法に形成されており、屋根部材４００の後面には、空気を通すための貫通孔が開口している。
【００３０】
また、収納箱１００の開口部１０１には金属製の蓋２００がネジを用いて固定される。蓋２００は、矩形板状の前板部２０１と、前板部２０１の周縁部から後側に突出する側板部２０２とを有している（図１及び図８参照）。
【００３１】
前板部２０１の裏面には、収納箱１００の鍔部１０２（図１参照）と接触する部位に、弾性を有する合成樹脂製のパッキン２０３が設けられている（図８参照）。したがって、蓋２００が収納箱１００に取り付けられた状態では、パッキン２０３が蓋２００と鍔部１０２との間で挟まれることによって、蓋２００と鍔部１０２との間の隙間が塞がれるから、収納箱１００の内部に水や埃などが入りにくくなる。
【００３２】
また、前板部２０１の裏面には、収納箱１００が備える右側の第１側板１１３の上端部及び下端部にそれぞれ対向する部位に、導電材料によりシート状に形成された第１導電部材２０４が取り付けられている（図８参照）。第１導電部材２０４は、例えば貼り付けなどの方法で蓋２００に取り付けられており、金属製の蓋２００に電気的に接続されている。
【００３３】
一方、収納箱１００の第１側板１１３の前端部には、蓋２００が収納箱１００に取り付けられた状態で第１導電部材２０４と接触する部位に、第１側壁ブロック１１０と電気的に接続された第２導電部材１１４が設けられている（図１及び図９参照）。第２導電部材１１４は、例えば弾性を有する金属材料で形成された板バネであり、蓋２００と収納箱１００とが互いに接触する方向において弾性を有している。したがって、収納箱１００に蓋２００を取り付けた状態では、第２導電部材１１４が第１導電部材２０４と確実に接触し、第２導電部材１１４と第１導電部材２０４との接触抵抗が減少するから、蓋２００が収納箱１００に電気的に接続された状態となる。一般的に、収納箱１００は接地されているから、収納箱１００の一部である第１側壁ブロック１１０と蓋２００とが電気的に接続されることで、蓋２００も接地された状態となり、安全性の向上及び放射ノイズの低減が図られている。なお、本実施形態では、第２導電部材１１４が弾性を有しているが、第１導電部材２０４が、第１導電部材２０４と第２導電部材１１４とが接触する方向において弾性を有していてもよい。また、第１導電部材２０４及び第２導電部材１１４の両方が、第１導電部材２０４と第２導電部材１１４とが接触する方向において弾性を有していてもよい。
【００３４】
また、本実施形態の収納箱１００は、第１側壁ブロック１１０の右側に第２側壁ブロック１２０が配置されているが、第１側壁ブロック１１０の左側に第２側壁ブロック１２０が配置されてもよい。第２側壁ブロック１２０側の収納室１５２にダクト部１７０が設けられるので、収納室１５２には電力変換装置２０が収納されることが好ましい。また、蓄電池モジュール１０を収納する収納室１５１は上側収納室１５３と下側収納室１５４との２つの収納室に分かれているが、収納室１５１は１つの収納室でもよいし、３つ以上の収納室に分かれてもよい。上側収納室１５３及び下側収納室１５４は、それぞれ、２つの蓄電池モジュール１０を前後方向に並べて収納可能であるが、３つ以上の蓄電池モジュール１０を前後方向に並べて収納可能としてもよい。収納室１５１に設けられた蓄電池モジュール１０の収納室の数や、各々の収納室に収納可能な蓄電池モジュール１０の数は、蓄電池モジュール１０の大きさなどの条件で適宜変更が可能である。
【００３５】
以上説明したように、本実施形態の収納箱１００は、それぞれ電気装置（本実施形態では、蓄電池モジュール１０及び電力変換装置２０）を収納する２つの収納室１５１，１５２を有している。収納箱１００は、第１側壁ブロック１１０と第２側壁ブロック１２０と上板１３０と下板１４０とを更に有している。第１側壁ブロック１１０は、第１背板１１１及び第１背板１１１の左右方向における両側辺からそれぞれ前方に突出する第１側板１１２，１１３を有する。第２側壁ブロック１２０は、第２背板１２１及び第２背板１２１の左右方向における一辺から前方に突出する第２側板１２２を有する。第２側壁ブロック１２０は、第２背板１２１において第２側板１２２と反対側の端部が第１側壁ブロック１１０と接触した状態で、第１側壁ブロック１１０と左右方向に並べて配置される。上板１３０は、第１側壁ブロック１１０及び第２側壁ブロック１２０の上部に取り付けられ、下板１４０は、第１側壁ブロック１１０及び第２側壁ブロック１２０の下部に取り付けられる。２つの収納室１５１，１５２のうちの一方（収納室１５１）は、第１側壁ブロック１１０と上板１３０と下板１４０とで囲まれる収納室である。２つの収納室１５１，１５２のうちの他方（収納室１５２）は、第１側壁ブロック１１０において第２側壁ブロック１２０側の第１側板１１３と第２側壁ブロック１２０と上板１３０と下板１４０とで囲まれる収納室である。
【００３６】
これにより、２つの収納室の各々に収納される電気装置は、当該電気装置を収納する収納室を構成する部材（第１側壁ブロック１１０又は第２側壁ブロック１２０）に取り付けることができるから、別々に作業が行え、組立作業の作業性を向上させることができる。また、収納箱１００の全体を１つの部材で構成する場合に比べて、第１側壁ブロック１１０及び第２側壁ブロック１２０の大きさを小さくできるから、溶接作業などの組立作業を行う場合に部品の取り回しを容易に行うことができる。また、収納室１５２は、収納室１５１との間の壁を、第１側壁ブロック１１０の第１側板１１３で兼用しているから、第２側壁ブロック１２０の大きさを小さくできる。よって、鋼材メーカなどから納入される規格サイズの材料から第２側壁ブロック１２０を取り出す場合に無駄になる部分を少なくでき、材料の歩留まりが向上する。なお、本実施形態の収納箱１００は、蓄電池モジュール１０及び電力変換装置２０を収納しているが、蓄電池モジュール１０、電力変換装置２０以外の電気機器を収納してもよい。
【００３７】
本実施形態の収納箱１００において、電気装置は、蓄電池を有する蓄電池モジュール１０に電気的に接続された電力変換装置２０を含んでもよい。そして、第１側壁ブロック１１０において第２側壁ブロック１２０側の第１側板１１３と第２側壁ブロック１２０と上板１３０と下板１４０とで囲まれる収納室１５２が電力変換装置２０を収納してもよい。電力変換装置２０を収納する収納室１５２は、上板１３０を貫通する第１通気孔１３１と下板１４０を貫通する第２通気孔１４２との間に筒状のダクト部１７０を備える。そして、第２側壁ブロック１２０に取り付けられる電力変換装置２０の筐体（ヒートシンク２２）でダクト部１７０の一部を構成してもよい。
【００３８】
このように、電力変換装置２０の筐体（ヒートシンク２２）でダクト部１７０の一部を構成しているから、ダクト部１７０を構成するために必要な材料の使用量を削減し、蓄電システムの軽量化を図ることができる。
【００３９】
また、本実施形態の収納箱１００において、第２側壁ブロック１２０は、第２背板１２１において第１背板１１１と接触する一辺から前方に突出する第１フランジ部１２３と、第２背板１２１の前面に第１フランジ部１２３と並行するように設けられた第２フランジ部１２４を更に有してもよい。そして、第１フランジ部１２３と第２フランジ部１２４との間に取り付けられた電力変換装置２０の筐体（ヒートシンク２２）と、第１フランジ部１２３と、第２フランジ部１２４と、第２背板１２１とでダクト部１７０が構成される。
【００４０】
このように、電力変換装置２０の筐体（ヒートシンク２２）でダクト部１７０の一部を構成しているから、ダクト部１７０を構成するために必要な材料の使用量を削減し、蓄電システムの軽量化を図ることができる。
【００４１】
また、本実施形態の収納箱１００において、電力変換装置２０は、ダクト部１７０の内部空間に少なくとも一部が露出するヒートシンク２２を有してもよい。ヒートシンク２２は、ダクト部１７０の内部空間と対向する面から突出し、かつ、上下方向に沿って延びる板状の放熱フィン２３を有してもよい。
【００４２】
このように、ダクト部１７０の内部空間に複数の放熱フィン２３が上下方向に沿って延びるように配置されるから、ダクト部１７０の内部空間を対流する空気と放熱フィン２３とで効率良く熱交換が行われ、放熱性能が向上する。
【００４３】
また、本実施形態の収納箱１００は、２つの収納室１５１，１５２を露出させる開口部１０１を前面に有してもよい。蓄電システムは、収納箱１００に着脱自在に取り付けられ収納箱１００に取り付けられた状態で開口部１０１を閉塞する金属製の蓋２００を更に備えてもよい。蓋２００は、蓋２００に電気的に接続された状態で取り付けられた第１導電部材２０４を有し、収納箱１００は、蓋２００が取り付けられた状態で第１導電部材２０４と接触する部位に、収納箱１００に電気的に接続された第２導電部材１１４を有してもよい。第１導電部材２０４及び第２導電部材１１４のうちの少なくともいずれか一方は、第１導電部材２０４と第２導電部材１１４とが接触する方向において弾性を有してもよい。
【００４４】
これにより、蓋２００が収納箱１００に取り付けられた状態では、第１導電部材２０４と第２導電部材１１４とが確実に接触するから、第１導電部材２０４と第２導電部材１１４との接触抵抗が減少し、蓋２００が収納箱１００に電気的に接続される。収納箱１００が接地されていれば、蓋２００も収納箱１００を介して接地されるから、安全性が向上する。
【００４５】
また、本実施形態の蓄電装置は、蓄電池を有する蓄電池モジュール１０と、蓄電池モジュール１０に電気的に接続された電力変換装置２０と、収納箱１００とを備えたことを特徴とする。収納箱１００は、蓄電池モジュール１０及び電力変換装置２０を別々に収納する２つの収納室１５１，１５２を有している。
【００４６】
これにより、蓄電池モジュール１０及び電力変換装置２０は、蓄電池モジュール１０及び電力変換装置２０の各々を収納する収納室を構成する部材（第１側壁ブロック１１０又は第２側壁ブロック１２０）に取り付けることができる。したがって、蓄電池モジュール１０及び電力変換装置２０の各々を収納室を構成する部材に取り付ける作業を別々に行えるから、組立作業の作業性を向上させることができる。
【符号の説明】
【００４７】
１０  蓄電池モジュール（電気装置）
２０  電力変換装置（電気装置）
２２  ヒートシンク（筐体）
２３  放熱フィン
１００  収納箱
１０１  開口部
１１０  第１側壁ブロック
１１１  第１背板
１１２，１１３  第１側板
１１４  第２導電部材
１２０  第２側壁ブロック
１２１  第２背板
１２２  第２側板
１２３  第１フランジ部
１２４  第２フランジ部
１３０  上板
１３１  第１通気孔
１４０  下板
１４２  第２通気孔
１５１，１５２  収納室
１７０  ダクト部
１７１，１７２  蓋板
２００  蓋
２０４  第１導電部材
【図１】
2017005027.tif 000003
【図２】
2017005027.tif 000004
【図３】
2017005027.tif 000005
【図４】
2017005027.tif 000006
【図５】
2017005027.tif 000007
【図６】
2017005027.tif 000008
【図７】
2017005027.tif 000009
【図８】
2017005027.tif 000010
【図９】
2017005027.tif 000011